【事件の表示】
　国際登録第８３３２４３号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲に示すとおりの構成よりなり、第９類、第１４類、第１６類、第２５類、第２６類、第２８類、第３５類、第３８類、第４１類、第４２類及び第４３類に属する国際登録において指定された商品及び役務を指定商品及び指定役務として、２００３年１２月３０日に国際登録されたものである。
　そして、第９類、第１６類、第３５類、第３８類、第４１類及び第４２類に属する指定商品及び指定役務については、当審において、２００６年２月２８日に国際登録簿に記録された限定の通報及びその通報に係る更正の通報があった結果、第９類「Ｐｈｏｔｏｇｒａｐｈｉｃ，ｆｉｌｍ　ａｎｄ　ｏｐｔｉｃａｌ　ａｐｐａｒａｔｕｓ　ａｎｄ　ｉｎｓｔｒｕｍｅｎｔ；ｅｌｅｃｔｒｉｃ　ｒｅｇｕｌａｔｉｎｇ　ａｐｐａｒａｔｕｓ；ｔｅｌｅｃｏｍｍｕｎｉｃａｔｉｏｎ　ｍａｃｈｉｎｅｓ　ａｎｄ　ａｐｐａｒａｔｕｓ；ｃｏｍｐｕｔｅｒｓ　ａｎｄ　ｔｈｅｉｒ　ｐｅｒｉｐｈｅｒａｌ　ｄｅｖｉｃｅｓ；ｖｅｎｄｉｎｇ　ｍａｃｈｉｎｅｓ；ｃａｌｃｕｌａｔｉｎｇ　ｍａｃｈｉｎｅｓ，ｄａｔａ　ｐｒｏｃｅｓｓｉｎｇ　ｅｑｕｉｐｍｅｎｔ　ａｎｄ　ｃｏｍｐｕｔｅｒｓ；ａｐｐａｒａｔｕｓ　ｆｏｒ　ｒｅｃｏｒｄｉｎｇ，ｔｒａｎｓｍｉｓｓｉｏｎ　ａｎｄ　ｒｅｐｒｏｄｕｃｔｉｏｎ　ｏｆ　ｓｏｕｎｄ　ａｎｄ　ｉｍａｇｅｓ；ｈｏｍｅ　ｃｏｍｐｕｔｅｒｓ，ｃｏｍｐｕｔｅｒ　ｂｕｆｆｅｒｓ，ｃｏｍｐｕｔｅｒ　ｃｈｉｐｓ，ｃｏｍｐｕｔｅｒ　ｄｉｓｋｓ，ｃｏｍｐｕｔｅｒ　ｃａｂｌｅｓ，ｃｏｍｐｕｔｅｒ　ｄｉｓｋ　ｄｒｉｖｅｓ，ｃｏｍｐｕｔｅｒ　ｔｅｒｍｉｎａｌｓ，ｃｏｍｐｕｔｅｒ　ｐｒｉｎｔｅｒｓ，ｃｏｍｐｕｔｅｒ　ｋｅｙｂｏａｒｄｓ，ｃｏｍｐｕｔｅｒ　ｄｉｓｐｌａｙ　ｄｅｖｉｃｅ　ａｎｄ　ｏｔｈｅｒ　ｐｅｒｉｐｈｅｒａｌｓ　ｆｏｒ　ｃｏｍｐｕｔｅｒｓ；ｖｉｄｅｏ　ｇａｍｅｓ，ｃｏｍｐｕｔｅｒ　ｇａｍｅｓ　ａｎｄ　ｏｔｈｅｒ　ｅｌｅｃｔｒｏｎｉｃ　ｇａｍｅｓ　ａｄａｐｔｅｄ　ｆｏｒ　ｕｓｅ　ｗｉｔｈ　ａ　ｔｅｌｅｖｉｓｉｏｎ　ｒｅｃｅｉｖｅｒ；ｐａｒｔｓ　ｏｆ　ａｌｌ　ａｆｏｒｅｍｅｎｔｉｏｎｅｄ　ｇｏｏｄｓ；ａｃｃｅｓｓｏｒｉｅｓ　ｆｏｒ　ｈｏｍｅ　ｃｏｍｐｕｔｅｒｓ，ｖｉｄｅｏ　ａｎｄ　ｃｏｍｐｕｔｅｒ　ｇａｍｅｓ　ａｓ　ｗｅｌｌ　ａｓ　ｆｏｒ　ｃｏｍｐａｒａｂｌｅ　ｅｌｅｃｔｒｏｎｉｃ　ａｎｄ　ｅｌｅｃｔｒｏ　ｔｅｃｈｎｉｃａｌ　ａｐｐａｒａｔｕｓ，ｎａｍｅｌｙ　ｊｏｙｓｔｉｃｋｓ，ｈａｎｄ　ｏｐｅｒａｔｅｄ　ｃｏｎｔｒｏｌｌｅｒｓ，ｃｏｎｔｒｏｌ　ｄｅｖｉｃｅｓ，ａｄａｐｔｅｒｓ，ｍｏｄｕｌｅｓ，ｃｏｍｐｕｔｅｒ　ａｎｄ　ｖｉｄｅｏ　ｇａｍｅ　ｃａｓｓｅｔｔｅｓ，ｄｉｓｋｅｔｔｅｓ，ｃａｒｔｒｉｄｇｅｓ，ｄｉｓｋｓ　ａｎｄ　ｔａｐｅｓ　ａｓ　ｗｅｌｌ　ａｓ　ｏｔｈｅｒ　ｐｒｏｇｒａｍｓ　ｅｍｂｏｄｉｅｄ　ｏｎ　ｍａｃｈｉｎｅ　ｒｅａｄａｂｌｅ　ｄａｔａ　ｃａｒｒｉｅｒｓ，ｉｎｃｌｕｄｅｄ　ｉｎ　ｔｈｉｓ　ｃｌａｓｓ；ｅｘｐｏｓｅｄ　ｆｉｌｍｓ，ｐｒｅ−ｒｅｃｏｒｄｅｄ　ａｎｄ　ｕｎｒｅｃｏｒｄｅｄ　ａｕｄｉｏ　ａｎｄ／ｏｒ　ｖｉｄｅｏ　ｃａｒｒｉｅｒｓ（ｅｘｃｅｐｔ　ｕｎｅｘｐｏｓｅｄ　ｆｉｌｍｓ），ｍａｇｎｅｔｉｃ　ｄａｔａ　ｃａｒｒｉｅｒｓ；ｇｌａｓｓｅｓ，ｓｕｎｇｌａｓｓｅｓ，ｃａｓｅｓ　ｆｏｒ　ｇｌａｓｓｅｓ，ｃｈａｉｎｓ，ｃｏｒｄｓ，ｌｅｎｓｅｓ　ａｎｄ　ｆｒａｍｅｓ　ｆｏｒ　ｇｌａｓｓｅｓ；ｖｉｄｅｏ　ｇａｍｅ　ａｐｐａｒａｔｕｓ；ｃｏｍｐｕｔｅｒ　ｇａｍｅ　ａｐｐａｒａｔｕｓ．」、第１６類「Ｐａｐｅｒ，ｃａｒｄｂｏａｒｄ（ｃａｒｔｏｎ），ｂｏｘｅｓ　ｏｆ　ｃａｒｄｂｏａｒｄ　ｏｒ　ｐａｐｅｒ，ｔａｂｌｅ　ｃｌｏｔｈｓ　ｏｆ　ｐａｐｅｒ，ｔａｂｌｅ　ｎａｐｋｉｎｓ　ｏｆ　ｐａｐｅｒ，ｃａｒｄｂｏａｒｄ　ａｒｔｉｃｌｅｓ；ｐｈｏｔｏｇｒａｐｈｓ，ｐｏｓｔｅｒｓ；ｓｔａｔｉｏｎｅｒｙ，ｐｏｓｔ　ａｎｄ　ｇｒｅｅｔｉｎｇ　ｃａｒｄｓ，ｗｒｉｔｉｎｇ　ｐａｐｅｒ　ａｎｄ　ｅｎｖｅｌｏｐｅｓ，ｓｔａｍｐｓ，ｎｏｔｅｂｏｏｋｓ，ｎｏｔｅ　ｐａｄｓ，ｆｏｌｄｅｒ，ｆｉｌｅ，ｃａｌｅｎｄａｒｓ，ｒｉｎｇ　ｂｉｎｄｅｒｓ，ｅｘｅｒｃｉｓｅ　ｂｏｏｋｓ，ｓｔｕｄｅｎｔ　ｐｌａｎｎｅｒｓ，ａｌｂｕｍｓ，ｓｃｒａｐ　ｂｏｏｋｓ，ｐａｐｅｒ　ｗｅｉｇｈｔｓ，ｌｅｔｔｅｒ　ｏｐｅｎｅｒｓ，ｐａｐｅｒ　ｃｌｉｐｓ，ｂｏｏｋ　ｐｌａｔｅｓ　ａｎｄ　ｂｏｏｋ　ｍａｒｋｓ；ｔｒａｎｓｆｅｒ　ｐｉｃｔｕｒｅｓ（ａｌｓｏ　ｆｏｒ　ｆｕｓｉｎｇ　ｏｎ　ａｎｄ　ａｓ　ｔｅｍｐｏｒａｒｙ　ｔａｔｔｏｏ）；ｐｒｉｎｔｅｄ　ｐｉｃｔｕｒｅｓ，ｐａｐｅｒ　ａｎｄ　ＰＶＣ　ｌａｂｅｌｓ，ｐａｐｅｒ　ｂａｇｓ，ｐｏｕｃｈ　ｏｆ　ｐａｐｅｒ；ｇｉｆｔ　ｗｒａｐｓ　ｐａｐｅｒ，ｇｉｆｔ　ｔａｇｓ　ｍａｄｅ　ｏｆ　ｐａｐｅｒ　ｏｒ　ｃａｒｄｂｏａｒｄ；ｐａｒｔｙ　ｇｏｏｄｓ　ｍａｄｅ　ｏｆ　ｐａｐｅｒ　ａｎｄ／ｏｒ　ｃａｒｄｂｏａｒｄ；ｗｒｉｔｉｎｇ　ｂｏａｒｄｓ，ｃｈａｌｋ，ａｄｈｅｓｉｖｅｓ　ｆｏｒ　ｐａｐｅｒ　ａｎｄ　ｈｏｕｓｅｈｏｌｄ　ｕｓｅ，ｗｒｉｔｉｎｇ　ｕｔｅｎｓｉｌｓ，ｍａｒｋｅｒｓ，ｃａｓｅｓ　ｆｏｒ　ｗｒｉｔｉｎｇ，ｐａｉｎｔｉｎｇ　ａｎｄ　ｄｒａｗｉｎｇ　ｕｔｅｎｓｉｌｓ，ｆｏｕｎｔａｉｎ　ｐｅｎ，ｂａｌｌ　ｐｏｉｎｔ　ｐｅｎ，ｐｅｎｃｉｌｓ，ｒｕｌｅｒｓ，ｅｒａｓｅｒｓ　ａｎｄ　ｎｏｔｅ　ｐａｄｓ；ｐｅｎｃｉｌ　ｂｏｘｅｓ　ａｎｄ　ｃｏｎｔａｉｎｅｒｓ，ｐｅｎｃｉｌ　ｓｈａｒｐｅｎｅｒｓ，ｄｒａｗｉｎｇ，ｐａｉｎｔｉｎｇ　ａｎｄ　ｍｏｄｅｌｌｉｎｇ　ａｒｔｉｃｌｅｓ　ａｎｄ　ｕｔｅｎｓｉｌｓ，ｐａｉｎｔ　ｂｒｕｓｈｅｓ；ａｒｔｉｓｔｓ’　ａｒｔｉｃｌｅｓ，ｎａｍｅｌｙ　ｃｒａｙｏｎｓ，ｃｈａｌｋ，ｐａｉｎｔｉｎｇ　ｂｏａｒｄｓ　ａｎｄ　ｐａｉｎｔｉｎｇ　ｃａｎｖａｓ；ｈｏｂｂｙ　ｋｉｔｓ　ｗｉｔｈ　ｏｃｃｕｐａｔｉｏｎａｌ　ｍａｔｅｒｉａｌ　ｆｏｒ　ｐａｉｎｔｉｎｇ；ｔｙｐｅ　ｗｒｉｔｅｒｓ　ａｎｄ　ｏｆｆｉｃｅ　ｅｑｕｉｐｍｅｎｔ（ｅｘｃｅｐｔ　ｆｕｒｎｉｔｕｒｅ），ｉｎｃｌｕｄｅｄ　ｉｎ　ｔｈｉｓ　ｃｌａｓｓ；ｄｕｃｔ　ｔａｐｅ　ｄｉｓｐｅｎｓｅｒｓ（ｓｔａｔｉｏｎｅｒｙ）；ｓｔａｍｐｓ，ｓｔａｍｐ　ｐａｄ　ｉｎｋｓ　ａｎｄ　ｓｔａｍｐ　ｐａｄ，ｉｎｋｓ；ｐｒｉｎｔｅｄ　ｍａｔｔｅｒ，ｎｅｗｓｐａｐｅｒｓ　ａｎｄ　ｐｅｒｉｏｄｉｃａｌｓ，ｂｏｏｋｓ；ｂｏｏｋ　ｅｎｄｓ，ｂｏｏｋ　ｃｏｖｅｒｓ．」、第３５類「Ｏｐｉｎｉｏｎ　ｒｅｓｅａｒｃｈ；ｍａｒｋｅｔｉｎｇ　ｒｅｓｅａｒｃｈ　ａｎｄ　ｍａｒｋｅｔ　ａｎａｌｙｓｉｓ；ｂｕｓｉｎｅｓｓ　ｃｏｎｓｕｌｔａｎｃｙ，ｂｕｓｉｎｅｓｓ　ｍａｎａｇｅｍｅｎｔ；ｏｆｆｉｃｅ　ｗｏｒｋ；ａｄｖｅｒｔｉｓｉｎｇ，ｐａｒｔｉｃｕｌａｒｌｙ　ｒａｄｉｏ　ａｎｄ　ｔｅｌｅｖｉｓｉｏｎ　ａｄｖｅｒｔｉｓｉｎｇ；ｐｒｅｓｅｎｔａｔｉｏｎ，ｐｒｏｄｕｃｔｉｏｎ　ａｎｄ　ｂｒｏａｄｃａｓｔ　ｏｆ　ｒａｄｉｏ　ａｎｄ　ｔｅｌｅｖｉｓｉｏｎ　ａｄｖｅｒｔｉｓｉｎｇ　ｐｒｏｇｒａｍｓ；ｏｒｇａｎｉｓａｔｉｏｎ　ａｎｄ　ｐｒｅｓｅｎｔａｔｉｏｎ　ｏｆ　ｆａｉｒ　ａｎｄ　ｅｘｈｉｂｉｔｉｏｎｓ　ｆｏｒ　ｃｏｍｍｅｒｃｉａｌ　ａｎｄ　ｐｒｏｍｏｔｉｏｎａｌ　ｐｕｒｐｏｓｅｓ；ａｄｖｅｒｔｉｓｉｎｇ　ｃｏｎｓｕｌｔｉｎｇ；ｄｉｓｔｒｉｂｕｔｉｏｎ　ｏｆ　ａｄｖｅｒｔｉｓｉｎｇ　ｍａｔｅｒｉａｌｓ　ｆｏｒ　ｏｔｈｅｒｓ；ａｄｖｅｒｔｉｓｉｎｇ　ａｇｅｎｃｙ；ｐｕｂｌｉｃ　ｒｅｌａｔｉｏｎｓ；ｃｒｅａｔｉｏｎ　ｏｆ　ｓｔａｔｉｓｔｉｃｓ　ａｎｄ　ｍａｒｋｅｔ　ａｎａｌｙｓｅｓ；ｃｏｌｌｅｃｔｉｏｎ　ａｎｄ　ｐｒｏｃｅｓｓｉｎｇ　ｏｆ　ｍｕｌｔｉ−ｍｅｄｉａ　ｂａｓｅｄ　ｓｔａｔｉｓｔｉｃａｌ　ｄａｔａ．」、第３８類「Ｔｅｌｅｃｏｍｍｕｎｉｃａｔｉｏｎ；ｓｅｒｖｉｃｅｓ　ｏｆ　ａｎ　ｏｎｌｉｎｅ　ｐｒｏｖｉｄｅｒ，ｎａｍｅｌｙ　ｔｒａｎｓｆｅｒ　ｏｆ　ｄａｔａ　ｂｙ　ｔｅｌｅｃｏｍｍｕｎｉｃａｔｉｏｎｓ；ｂｒｏａｄｃａｓｔｉｎｇ　ａｎｄ　ｔｒａｎｓｍｉｓｓｉｏｎ　ｏｆ　ｒａｄｉｏ　ａｎｄ　ｔｅｌｅｖｉｓｉｏｎ　ｐｒｏｇｒａｍｓ；ｔｒａｎｓｍｉｓｓｉｏｎ　ｏｆ　ｓｏｕｎｄ　ａｎｄ　ｉｍａｇｅｓ　ｖｉａ　ｗｉｒｅ，ｃａｂｌｅ　ｏｒ　ｓａｔｅｌｌｉｔｅ　ａｓ　ｗｅｌｌ　ａｓ　ｖｉａ　ｓｉｍｉｌａｒ　ｔｅｃｈｎｉｃａｌ　ｅｑｕｉｐｍｅｎｔ；ｃｏｌｌｅｃｔｉｏｎ　ａｎｄ　ｓｕｐｐｌｙ　ｏｆ　ｎｅｗｓ；ｃｏｌｌｅｃｔｉｏｎ　ａｎｄ　ｓｕｐｐｌｙ　ｉｎｆｏｒｍａｔｉｏｎ　ｆｏｒ　ｔｈｅ　ｄｉｓｔｒｉｂｕｔｉｏｎ　ｏｎ　ＴＶ，ｒａｄｉｏ　ａｎｄ　Ｉｎｔｅｒｎｅｔ　ｎａｍｅｌｙ　ｎｅｗｓ　ａｇｅｎｃｉｅｓ；ｔｒａｎｓｍｉｓｓｉｏｎ　ｏｆ　ｄａｔａ　ａｎｄ／ｏｒ　ｉｎｆｏｒｍａｔｉｏｎ　ｆｒｏｍ　ａ　ｄａｔａｂａｓｅ　ａｎｄ　ｄａｔａ　ｎｅｔｗｏｒｋ，ｉｎ　ｐａｒｔｉｃｕｌａｒ　ｔｈｅ　Ｉｎｔｅｒｎｅｔ．」、第４１類「Ｅｄｕｃａｔｉｏｎ，ｔｒａｉｎｉｎｇ　ａｎｄ　ｉｎｓｔｒｕｃｔｉｏｎ；ｅｎｔｅｒｔａｉｎｍｅｎｔ，ｉｎ　ｐａｒｔｉｃｕｌａｒ　ｒａｄｉｏ　ａｎｄ　ｔｅｌｅｖｉｓｉｏｎ　ｅｎｔｅｒｔａｉｎｍｅｎｔ，ｐｒｏｄｕｃｔｉｏｎ，ｒｅｐｒｏｄｕｃｔｉｏｎ，ｐｒｏｊｅｃｔｉｎｇ　ａｎｄ　ｈｉｒｉｎｇ　ｏｆ　ｆｉｌｍｓ，ｐｒｏｄｕｃｔｉｏｎ　ａｎｄ　ｒｅｐｒｏｄｕｃｔｉｏｎ　ｏｆ　ａｕｄｉｏ　ａｎｄ　ｖｉｄｅｏ　ｒｅｃｏｒｄｉｎｇｓ　ｏｎ　ｖｉｄｅｏ　ａｎｄ／ｏｒ　ｃａｒｒｉｅｒｓ　ｏｆ　ｄｉｆｆｅｒｅｎｔ　ｋｉｎｄ，ｐｒｏｊｅｃｔｉｎｇ　ａｎｄ　ｈｉｒｉｎｇ　ｏｆ　ｔｈｅｓｅ　ｖｉｄｅｏｓ　ａｎｄ／ｏｒ　ａｕｄｉｏ　ｃａｒｒｉｅｒｓ；ｐｒｏｄｕｃｔｉｏｎ　ａｎｄ　ａｒｒａｎｇｅｍｅｎｔ　ｏｆ　ｒａｄｉｏ　ａｎｄ　ｔｅｌｅｖｉｓｉｏｎ　ｐｒｏｇｒａｍｓ，ｅｓｐｅｃｉａｌｌｙ　ｒａｄｉｏ　ａｎｄ　ｔｅｌｅｖｉｓｉｏｎ　ｅｎｔｅｒｔａｉｎｍｅｎｔ　ｐｒｏｇｒａｍｓ；ｏｐｅｒａｔｉｏｎ　ａｎｄ　ｈｉｒｉｎｇ　ｏｆ　ｓｔｕｄｉｏｓ　ｉｎｃｌｕｄｉｎｇ　ｅｑｕｉｐｍｅｎｔ，ａｐｐａｒａｔｕｓ　ａｎｄ　ｄｅｖｉｃｅｓ　ｆｏｒ　ｔｈｅ　ｐｒｏｄｕｃｔｉｏｎ　ｏｆ　ｆｉｌｍｓ，ｒａｄｉｏ　ａｎｄ　ｔｅｌｅｖｉｓｉｏｎ　ｐｒｏｇｒａｍｓ；ｈｉｒｉｎｇ　ｏｆ　ｒａｄｉｏ　ａｎｄ　ｔｅｌｅｖｉｓｉｏｎ　ｒｅｃｅｉｖｅｒｓ；ｔｈｅａｔｒｅ　ｐｅｒｆｏｒｍａｎｃｅ，ｍｕｓｉｃａｌ　ｐｅｒｆｏｒｍａｎｃｅ；ｏｒｇａｎｉｓａｔｉｏｎ　ａｎｄ　ｐｒｅｓｅｎｔａｔｉｏｎ　ｏｆ　ｃｏｎｃｅｒｔｓ，ｔｏｕｒｓ，ｔｈｅａｔｒｅ，ｄａｎｃｅ　ａｎｄ／ｏｒ　ｍｕｓｉｃ　ｐｅｒｆｏｒｍａｎｃｅ　ａｎｄ　ｏｆ　ｅｎｔｅｒｔａｉｎｍｅｎｔ　ｓｈｏｗｓ；ｏｒｇａｎｉｓａｔｉｏｎ　ｏｆ　ｓｐｏｒｔｉｎｇ　ｅｖｅｎｔｓ；ｓｐｏｒｔ　ｃａｍｐ　ｓｅｒｖｉｃｅｓ；ｅｎｔｅｒｔａｉｎｅｒ　ｓｅｒｖｉｃｅｓ；ｏｒｇａｎｉｚａｔｉｏｎ　ｏｆ　ｅｘｈｉｂｉｔｉｏｎｓ　ｆｏｒ　ｃｕｌｔｕｒａｌ　ｏｒ　ｅｄｕｃａｔｉｏｎ　ｐｕｒｐｏｓｅｓ；ｏｒｃｈｅｓｔｒａ　ｓｅｒｖｉｃｅｓ；ｏｒｇａｎｉｓａｔｉｏｎ　ｏｆ　ｓｈｏｗｓ（ｉｍｐｒｅｓａｒｉｏ　ｓｅｒｖｉｃｅｓ）；ｐｒｅｓｅｎｔａｔｉｏｎ　ｏｆ　ｌｉｖｅ　ｐｅｒｆｏｒｍａｎｃｅｓ；ａｒｒａｎｇｉｎｇ　ａｎｄ　ｃｏｎｄｕｃｔｉｎｇ　ｏｆ　ｓｅｍｉｎａｒｓ；ｐｒｏｄｕｃｔｉｏｎ　ｏｆ　ｓｈｏｗｓ；ｏｒｇａｎｉｓａｔｉｏｎ　ｏｆ　ｓｐｏｒｔｓ　ｃｏｍｐｅｔｉｔｉｏｎｓ；ｏｒｇａｎｉｓａｔｉｏｎ　ａｎｄ　ｐｒｅｓｅｎｔａｔｉｏｎ　ｏｆ　ｆａｉｒｓ　ａｎｄ　ｅｘｈｉｂｉｔｉｏｎｓ　ｆｏｒ　ｃｕｌｔｕｒａｌ，ｅｎｔｅｒｔａｉｎｍｅｎｔ　ａｎｄ　ｅｄｕｃａｔｉｏｎａｌ　ｐｕｒｐｏｓｅｓ；ｏｒｇａｎｉｓａｔｉｏｎ　ａｎｄ　ｐｒｅｓｅｎｔａｔｉｏｎ　ｏｆ　ａｗａｒｄｓ　ｓｈｏｗｓ，ｃｏｎｇｒｅｓｓｅｓ　ａｎｄ　ｃｏｎｆｅｒｅｎｃｅｓ；ｏｒｇａｎｉｓａｔｉｏｎ　ａｎｄ　ｐｒｅｓｅｎｔａｔｉｏｎ　ｏｆ　ｒｏａｄ　ｓｈｏｗｓ　ｏｆ　ｆａｉｒｓ　ｆｏｒ　ｃｕｌｔｕｒａｌ；ｐｒｏｄｕｃｔｉｏｎ　ｏｆ　ｍｕｌｔｉｍｅｄｉａ　ｐｒｏｇｒａｍｓ　ｆｏｒ　ｔｈｉｒｄ　ｐａｒｔｉｅｓ，ｉｎｃｌｕｄｅｄ　ｉｎ　ｔｈｉｓ　ｃｌａｓｓ；ｉｓｓｕａｎｃｅ　ａｎｄ　ｐｕｂｌｉｃａｔｉｏｎ　ｏｆ　ｂｏｏｋｓ，ｊｏｕｒｎａｌｓ　ａｎｄ　ｍａｇａｚｉｎｅｓ；ｈｉｒｉｎｇ　ｏｆ　ｍａｇａｚｉｎｅｓ．」及び第４２類「Ｍａｎａｇｅｍｅｎｔ　ｏｆ　ｉｎｄｕｓｔｒｉａｌ　ｐｒｏｐｅｒｔｙ　ｒｉｇｈｔｓ　ａｎｄ　ｃｏｐｙｒｉｇｈｔｓ，ｉｎ　ｐａｒｔｉｃｕｌａｒ　ｌｉｃｅｎｓｉｎｇ　ｏｆ　ｂｒｏａｄｃａｓｔｉｎｇ，ｔｒａｎｓｍｉｓｓｉｏｎ，ａｕｄｉｏ−ｖｉｓｕａｌ，ｍｅｃｈａｎｉｃａｌ　ｒｉｇｈｔｓ　ａｎｄ　ｏｔｈｅｒ　ｒｉｇｈｔｓ　ｏｆ　ｕｓｅ　ｉｎ　ｒａｄｉｏ　ａｎｄ　ｔｅｌｅｖｉｓｉｏｎ　ｐｒｏｇｒａｍｓ　ａｓ　ｗｅｌｌ　ａｓ　ｏｔｈｅｒ　ａｕｄｉｏ　ａｎｄ　ｖｉｄｅｏ　ｐｒｏｄｕｃｔｉｏｎｓ；ｃｒｅａｔｉｏｎ　ｏｆ　ｐｒｏｇｒａｍｓ　ｆｏｒ　ｄａｔａ　ｐｒｏｃｅｓｓｉｎｇ．」と限定されたものである。
２　原査定の拒絶の理由の要点
　原査定は、「指定商品及び指定役務は、商標とともに権利範囲を定めるものであるから、その内容及び範囲は明確でなければならないところ、本願に係る指定商品及び指定役務の表示は、その内容及び範囲を明確に指定したものとは認められない。したがって、本願は、商標法第６条第１項の要件を具備しない。」旨認定、判断し、本願を拒絶したものである。
３　当審の判断
　本願に係る指定商品及び指定役務については、上記１のとおり限定された結果、商品及び役務の内容及び範囲が明確なものになり、本願は、商標法第６条第１項の要件を具備するものとなった。
　したがって、本願が商標法第６条第１項の要件を具備しないものとした上記２の拒絶の理由は、解消した。
　その他、政令で定める期間内に本願について拒絶の理由を発見しない。
　よって、結論のとおり審決する。